(57)【要約】【課題】  混雑したイベント会場などでも探したい相手が後ろからで直ぐ探すことができ、相手にも不快な思いをさせることのないはんてんなどに使用できる上着を提供する。【解決手段】  背面に宣伝用または紹介用の説明を表示した表示布１を本体２に着脱手段により着脱自在に取り付けてあり、前記着脱手段はマジックテープ５またはスナップボタン１３であることを特徴とする。【選択図】        図１
0003110327.tif 000002
【実用新案登録請求の範囲】
【請求項１】
背面に宣伝用または紹介用の説明を表示した表示布を着脱手段により着脱自在に取り付けてあることを特徴とする上着。
【請求項２】
背面に宣伝用または紹介用の説明を表示した表示布を着脱手段により着脱自在に取り付けてあり、前記着脱手段はマジックテープ（登録商標）またはスナップボタンであることを特徴とする上着。
【請求項３】
背面に宣伝用または紹介用の説明を表示した表示布を着脱手段により着脱自在に取り付けてあり、前面の合わせ部に紐が取り付けられ、前記紐はマジックテープ（登録商標）が取り付けられていることを特徴とする上着。
【考案の詳細な説明】
【技術分野】
【０００１】  本考案は、様々な行事などで使用するはんてんなどに使用できる上着に関する。
【技術分野】
【０００２】  一般にはんてんなどに使用する上着は、実開平３−１１１８３７に示すようなものがあり、祭りを始めとして様々なイベント会場で雰囲気を盛り上げるために使用されている。特に、新しい店のオープンや様々な業種の人が一同に会し記念行事などを行なう場合には、主催者側や参加者がはんてんを着て参加する場合がある。その場合に初対面では互いの所属などがわからないので、胸に紹介用の名札などを取り付けてその人が何者であるかをわかるようにしている。
【特許文献１】    実開平３−１１１８３７公報
【考案の開示】
【考案が解決しようとする課題】
【０００２】  しかしながら、上述したはんてんなどの上着においては、例えば、混雑した会場においては挨拶などをしたい相手を探すのは大変であり、特に初対面の相手に挨拶を交わしたい場合は、胸の名札を頼りに相手を探さなければならず、探すのに時間がかかると共に、相手に前から近づかないと名札を確認できないので、探す本人でなかった場合は相手に対しても不快な思いさせることもあり、不便な思いすることもしばしばあった。【０００３】  本考案は、上述した問題を解決するためなされたもので、混雑したイベント会場などでも探したい相手が後ろからで直ぐ探すことができ、相手にも不快な思いをさせることのないはんてんなどに使用できる上着を提供するものである。
【課題を解決するための手段】
【０００４】  本考案は、背面に宣伝用または紹介用の説明を表示した表示布を着脱手段により着脱自在に取り付けてあり、前記着脱手段はマジックテープまたはスナップボタンであることを特徴とするものである。【０００５】  また、本考案は、背面に宣伝用または紹介用の説明を表示した表示布を着脱手段により着脱自在に取り付けてあり、前面の合わせ部に紐が取り付けられ、前記紐はマジックテープが取り付けられていることを特徴とするものである。
【考案の効果】
【０００６】  本考案に係る上着は、背面に宣伝用または紹介用の説明を表示した表示布を着脱手段により着脱自在に取り付けてあることにより、背中の大きな表示布を見れば後ろからでも相手が誰かが直ぐわかり、他人に失礼をすることなく求める相手を探し出せるという効果を奏するものである。【０００７】  また、本考案に係る上着は、背面に宣伝用または紹介用の説明を表示した表示布を着脱手段により着脱自在に取り付けてあり、前記着脱手段はマジックテープまたはスナップであることにより、表示布を簡単に取り外しができ、表示内容や色も変えることができるので、背中の大きな表示布の内容や色を見れば後ろからでも相手の団体や会社などがが直ぐわかり、そこで相手を直ぐ探し出せるという効果を奏するものである。【０００８】  さらに、本考案に係る上着は、前面の襟に紐が取り付けられ、この紐にマジックテープが取り付けられているので、簡単に紐と紐とをワンタッチで結合できるので、むすぶという手間が必要なく、開放する場合もワンタッチで行うことができ、使い勝手に優れたものである。
【考案の実施するための最良の形態】
【０００９】  本考案に係る上着を実施するための最良の形態を図に基づいて説明する。
図１は本考案に係る上着の実施の形態を示す背面の正面図、図２は図１の上着の表示布を取り外した状態を示す正面図、図３は図１の上着に使用する表示布の裏面を示す実施例を示す平面図、図４は図１の上着の表面を示す正面図、図５は本考案の上着の実施例を示す正面図、図６は本考案の上着の他の実施例を示す正面図である。
【００１０】  本考案に係る上着Ａは、図１に示すように、本体１の背面に宣伝用または紹介用の説明を表示した表示布２を着脱手段により着脱自在に取り付けてあり、前記着脱手段はマジックテープまたはスナップボタンとしたものである。
【００１１】  この上着の本体１は、木綿や化繊などの公知の材料布より所定の形状に裁断して縫製したもので、最も標準的な袖付きのはんてんに加工したものである。この本体１の裏面１ａには、図２に示すように、表示布２を取り付けるためのマジックテープ３を少なくとも２箇所に貼り付けてある。そのため、図３に示すように、相手側の表示布２の裏面にもマジックテープ４が貼り付けてある。これにより本体１に表示布２をワンタッチで取り付けを行うことができ、ワンタッチで取り外しができるものである。
【００１２】  この本体１に取り付けられる表示布２は、図１に示すように、この上着Ａを着る人の所属する会社名や団体名、或いはＰＲ内容などを書き込んだものである。そして、表示内容の異なる表示布２は、それぞれグループ毎に色を異ならせることが可能である。その結果、予め会合の案内書などにグループ毎の表示布２の色を説明しておけば、遠くからでも一目でわかり、他の人に失礼を与えることなく直ぐ捜し出せるものである。
【００１３】  また、本体１の表面１ｂには、図４に示すように、紐５，５が取り付けられており、その先端部にはマジックテープ６，６が貼り付けられている。そのため、紐５と紐５を結ぶ場合は、単に紐５，５のマジックテープ６，６を合わせるだけでよく、簡単に結び、簡単に解くことができるものである。
【００１４】  このように構成された上着Ａは、表示布を簡単に取り外しができるので、表示内容を簡単に変えることができ、使用する場所や用途により必要な表示布を取り付けたはんてんにすることができるものである。そして、このはんてんの背中に取り付けられた大きな表示布の内容や色を見れば、遠くからでも相手の団体や会社などがが直ぐわかり、そこで相手を直ぐ探し出せるという効果を奏するものである。
【００１５】  また、図５に示す上着Ｂは、本体１の背面１ａに表示布１２をスナップボタン１３で取り付けるためのスナップ金具１４を固着したものである。このように構成された上着Ｂは、上着Ａと同様に、ワンタッチで表示布１２を取り外しすることが可能となり、使用目的に応じて表示布１２を簡単に交換できるものである。
【００１６】  さらに、図６に示す上着Ｃは、本体１０を袖無しのはんてんとしたもので、背面１０ａには表示布２をマジックテープまたはスナップボタンで取り付けたものである。この上着Ｃは、上着Ａや上着Ｂと同様に、ワンタッチで表示布１２を取り外しすることが可能となり、使用目的に応じて表示布１２を簡単に交換できるものである。
【００１７】  尚、本考案に係る上着は、上述した実施の形態に限定されるものではなく、請求の範囲内にて様々な態様ができることは勿論である。
例えば、本体の材料は材質を選ばないことは勿論であり、その形状ははんてん以外にチョッキやジャンパーでもよいことは勿論である。さらに、表示布の形状も矩形以外に三角形や多角形、或いは円形や楕円形でもよく、その色彩はあらゆる色のものが使用できることは勿論である。
【図面の簡単な説明】
【００１８】
【図１】  本考案に係る上着の実施の形態を示す背面の正面図である。
【図２】  図１の上着の表示布を取り外した状態を示す正面図である。
【図３】  図１の上着に使用する表示布の裏面を示す実施例を示す平面図である。
【図４】  図１の上着の表面を示す正面図である。
【図５】  本考案の上着の実施例を示す正面図である。
【図６】  本考案の上着の他の実施例を示す正面図である。
【符号の説明】
【００１９】Ａ        上着
Ｂ        上着
Ｃ        上着
１        本体
１ａ      裏面
１ｂ      表面
２        表示布
３        マジックテープ
４        マジックテープ
５        紐
６        マジックテープ
１０      本体
１１      表示布
１２      表示布
１３      スナップボタン
１４      スナップ金具
【図１】
0003110327.tif 000003
【図２】
0003110327.tif 000004
【図３】
0003110327.tif 000005
【図４】
0003110327.tif 000006
【図５】
0003110327.tif 000007
【図６】
0003110327.tif 000008
【手続補正書】
【提出日】平成17年2月28日(2005.2.28)
【手続補正１】
【補正対象書類名】明細書
【補正対象項目名】実用新案登録請求の範囲
【補正方法】変更
【補正の内容】
【実用新案登録請求の範囲】
【請求項１】  背面に宣伝用または紹介用の説明を表示した表示布を着脱手段により着脱自在に取り付けてあることを特徴とする上着。
【請求項２】  背面に宣伝用または紹介用の説明を表示した表示布を着脱手段により着脱自在に取り付けてあり、前記着脱手段は面ファスナーまたはスナップボタンであることを特徴とする上着。
【請求項３】  背面に宣伝用または紹介用の説明を表示した表示布を着脱手段により着脱自在に取り付けてあり、前面の合わせ部に紐が取り付けられ、前記紐は面ファスナーが取り付けられていることを特徴とする上着。
【手続補正２】
【補正対象書類名】明細書
【補正対象項目名】０００４
【補正方法】変更
【補正の内容】
【０００４】  本考案は、背面に宣伝用または紹介用の説明を表示した表示布を着脱手段により着脱自在に取り付けてあり、前記着脱手段は面ファスナーまたはスナップボタンであることを特徴とするものである。
【手続補正３】
【補正対象書類名】明細書
【補正対象項目名】０００５
【補正方法】変更
【補正の内容】
【０００５】  また、本考案は、背面に宣伝用または紹介用の説明を表示した表示布を着脱手段により着脱自在に取り付けてあり、前面の合わせ部に紐が取り付けられ、前記紐は面ファスナーが取り付けられていることを特徴とするものである。
【手続補正４】
【補正対象書類名】明細書
【補正対象項目名】０００７
【補正方法】変更
【補正の内容】
【０００７】  また、本考案に係る上着は、背面に宣伝用または紹介用の説明を表示した表示布を着脱手段により着脱自在に取り付けてあり、前記着脱手段は面ファスナーまたはスナップであることにより、表示布を簡単に取り外しができ、表示内容や色も変えることができるので、背中の大きな表示布の内容や色を見れば後ろからでも相手の団体や会社などがが直ぐわかり、そこで相手を直ぐ探し出せるという効果を奏するものである。
【手続補正５】
【補正対象書類名】明細書
【補正対象項目名】０００８
【補正方法】変更
【補正の内容】
【０００８】  さらに、本考案に係る上着は、前面の襟に紐が取り付けられ、この紐に面ファスナーが取り付けられているので、簡単に紐と紐とをワンタッチで結合できるので、むすぶという手間が必要なく、開放する場合もワンタッチで行うことができ、使い勝手に優れたものである。
【手続補正６】
【補正対象書類名】明細書
【補正対象項目名】００１１
【補正方法】変更
【補正の内容】
【００１１】  この上着の本体１は、木綿や化繊などの公知の材料布より所定の形状に裁断して縫製したもので、最も標準的な袖付きのはんてんに加工したものである。この本体１の裏面１ａには、図２に示すように、表示布２を取り付けるための面ファスナー３を少なくとも２箇所に貼り付けてある。そのため、図３に示すように、相手側の表示布２の裏面にも面ファスナー４が貼り付けてある。これにより本体１に表示布２をワンタッチで取り付けを行うことができ、ワンタッチで取り外しができるものである。
【手続補正７】
【補正対象書類名】明細書
【補正対象項目名】００１３
【補正方法】変更
【補正の内容】
【００１３】  また、本体１の表面１ｂには、図４に示すように、紐５，５が取り付けられており、その先端部には面ファスナー６，６が貼り付けられている。そのため、紐５と紐５を結ぶ場合は、単に紐５，５の面ファスナー６，６を合わせるだけでよく、簡単に結び、簡単に解くことができるものである。
【手続補正８】
【補正対象書類名】明細書
【補正対象項目名】００１６
【補正方法】変更
【補正の内容】
【００１６】  さらに、図６に示す上着Ｃは、本体１０を袖無しのはんてんとしたもので、背面１０ａには表示布２を面ファスナーまたはスナップボタンで取り付けたものである。この上着Ｃは、上着Ａや上着Ｂと同様に、ワンタッチで表示布１２を取り外しすることが可能となり、使用目的に応じて表示布１２を簡単に交換できるものである。
【手続補正９】
【補正対象書類名】明細書
【補正対象項目名】００１９
【補正方法】変更
【補正の内容】
【００１９】  Ａ        上着
Ｂ        上着
Ｃ        上着
１        本体
１ａ      裏面
１ｂ      表面
２        表示布
３面ファスナー
４面ファスナー
５        紐
６面ファスナー
１０      本体
１１      表示布
１２      表示布
１３      スナップボタン
１４      スナッブ金具